(57)【要約】【課題】トレイまたは商品（例えば、食品等）を支持するための商品載置ユニットを後面側に引き出し可能、かつ、当該商品載置ユニットを前面側に引き出し可能なショーケースを提供する。【解決手段】ショーケースは、ケース本体と、商品載置ユニットと、商品載置ユニットをスライド可能に支持する載置ユニット支持部材と、ケース本体の第１方向側に取り付けられ、商品載置ユニットが通過する開口を開閉する第１開閉部材と、ケース本体の第２方向側に取り付けられ、商品載置ユニットが通過する開口を開閉する第２開閉部材と、を具備する。載置ユニット支持部材は、ケース本体に固定された固定レール部材を含み、商品載置ユニットは、固定レール部材に対してスライド可能な可動レール部材を含む。商品載置ユニットは、ケース本体内から第１方向側に引き出し可能、かつ、ケース本体内から第２方向側に引き出し可能に、固定レール部材によって支持されている。【選択図】図１
2019042485.tif 000002
【特許請求の範囲】
【請求項１】
商品が配置される内部空間を規定するケース本体と、
前記ケース本体内に配置される商品載置ユニットと、
前記商品載置ユニットをスライド可能に支持する載置ユニット支持部材と、
前記ケース本体の第１方向側に取り付けられ、前記商品載置ユニットが通過する開口を開閉する第１開閉部材と、
前記ケース本体の第１方向側とは反対の第２方向側に取り付けられ、前記商品載置ユニットが通過する開口を開閉する第２開閉部材と、
を具備し、
前記載置ユニット支持部材は、前記ケース本体に固定された固定レール部材を含み、
前記商品載置ユニットは、前記固定レール部材に対してスライド可能な可動レール部材を含み、
前記商品載置ユニットは、前記ケース本体内から第１方向側に引き出し可能、かつ、前記ケース本体内から第２方向側に引き出し可能に、前記固定レール部材によって支持されている
ショーケース。
【請求項２】
前記可動レール部材は、
第１方向引出用可動レール部材と、
第２方向引出用可動レール部材と
を含み、
前記商品載置ユニットは、前記第１方向引出用可動レール部材と前記第２方向引出用可動レール部材とが一体化された状態と、前記第１方向引出用可動レール部材が前記第２方向引出用可動レール部材に対して相対移動可能な状態とを切り替える切替機構を有する
請求項１に記載のショーケース。
【請求項３】
前記可動レール部材のうちの少なくとも一部は、前記固定レール部材よりも前記ケース本体の中心から遠い側に配置されている
請求項１または２に記載のショーケース。
【請求項４】
前記商品載置ユニットは、第２方向側把手部を備え、
前記商品載置ユニットが第１方向に引き出されるとき、前記第２方向側把手部は、前記ケース本体内に引き込まれることなく、前記ケース本体外に留まる
請求項１乃至３のいずれか一項に記載のショーケース。
【請求項５】
前記商品載置ユニットは、
前記商品載置ユニットが第１方向に引き出される時、前記第１開閉部材を開放する方向に押圧する第１押圧部材と、
前記商品載置ユニットが第２方向に引き出される時、前記第２開閉部材を開放する方向に押圧する第２押圧部材と
を具備し、
前記第１押圧部材と前記第２押圧部材とは別体である
請求項１乃至４のいずれか一項に記載のショーケース。
【請求項６】
前記可動レール部材は、
第１可動レール部材と、
前記第１可動レール部材に対してスライド可能な第２可動レール部材と
を含む
請求項１乃至５のいずれか一項に記載のショーケース。
【請求項７】
閉鎖状態の前記第１開閉部材および閉鎖状態の前記第２開閉部材は、側面視で、ハ字形状を形成するように配置されている
請求項１乃至６のいずれか一項に記載のショーケース。
【発明の詳細な説明】
【技術分野】
【０００１】
本発明は、ショーケースに関する。
【背景技術】
【０００２】
食品等の商品を陳列するショーケースが知られている。ショーケースは、例えば、コンビニエンスストア等の店舗に設置される。ショーケースの前面の少なくとも一部は、透明な部材によって構成されており、客は、ショーケースの内部を視認することが可能である。ショーケースには、客が自ら商品を取り出すように構成されたセルフサービス型のショーケースと、店員が商品を取り出すように構成された注文型のショーケースとがある。
【０００３】
関連する技術として、特許文献１には、食品用ショーケースが開示されている。特許文献１に記載の食品用ショーケースでは、トレイまたは食品を支持する食品陳列棚が、ケース本体に固定されている。
【先行技術文献】
【特許文献】
【０００４】
【特許文献１】特開２０１５−１１６３１８号公報
【発明の概要】
【発明が解決しようとする課題】
【０００５】
本発明の目的は、トレイまたは商品（例えば、食品等）を支持するための商品載置ユニットを後面側に引き出し可能、かつ、当該商品載置ユニットを前面側に引き出し可能なショーケースを提供することである。
【課題を解決するための手段】
【０００６】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００７】
いくつかの実施形態におけるショーケースは、商品が配置される内部空間（ＳＰ）を規定するケース本体（２）と、前記ケース本体（２）内に配置される商品載置ユニット（４）と、前記商品載置ユニット（４）をスライド可能に支持する載置ユニット支持部材（６）と、前記ケース本体（２）の第１方向側に取り付けられ、前記商品載置ユニット（４）が通過する開口を開閉する第１開閉部材（８）と、前記ケース本体（２）の第１方向側とは反対の第２方向側に取り付けられ、前記商品載置ユニット（４）が通過する開口を開閉する第２開閉部材（９）と、を具備する。前記載置ユニット支持部材（６）は、前記ケース本体に固定された固定レール部材（６０）を含む。前記商品載置ユニット（４）は、前記固定レール部材（６０）に対してスライド可能な可動レール部材（４０）を含む。前記商品載置ユニット（４）は、前記ケース本体（２）内から第１方向側に引き出し可能、かつ、前記ケース本体（２）内から第２方向側に引き出し可能に、前記固定レール部材（６０）によって支持されている。
【０００８】
上記ショーケースにおいて、前記可動レール部材（４０）は、第１方向引出用可動レール部材（４０ａ）と、第２方向引出用可動レール部材（４０ｂ）とを含んでいてもよい。前記商品載置ユニット（４）は、前記第１方向引出用可動レール部材（４０ａ）と前記第２方向引出用可動レール部材（４０ｂ）とが一体化された状態と、前記第１方向引出用可動レール部材（４０ａ）が前記第２方向引出用可動レール部材（４０ｂ）に対して相対移動可能な状態とを切り替える切替機構（Ｇ）を有していてもよい。
【０００９】
上記ショーケースにおいて、前記可動レール部材（４０）のうちの少なくとも一部は、前記固定レール部材（６０）よりも前記ケース本体（２）の中心から遠い側に配置されていてもよい。
【００１０】
上記ショーケースにおいて、前記商品載置ユニット（４）は、第２方向側把手部（４６９）を備えていてもよい。前記商品載置ユニット（４）が第１方向に引き出されるとき、前記第２方向側把手部（４６９）は、前記ケース本体（２）内に引き込まれることなく、前記ケース本体（２）外に留まるように構成されてもよい。
【００１１】
上記ショーケースにおいて、前記商品載置ユニット（４）は、前記商品載置ユニット（４）が第１方向に引き出される時、前記第１開閉部材（８）を開放する方向に押圧する第１押圧部材（４５ａ）と、前記商品載置ユニット（４）が第２方向に引き出される時、前記第２開閉部材（９）を開放する方向に押圧する第２押圧部材（４５ｂ）と、を具備していてもよい。前記第１押圧部材（４５ａ）と前記第２押圧部材（４５ｂ）とは別体であってもよい。
【００１２】
上記ショーケースにおいて、前記可動レール部材（４０）は、第１可動レール部材（４１；４１ａ；４１ｂ）と、前記第１可動レール部材（４１；４１ａ；４１ｂ）に対してスライド可能な第２可動レール部材（４２；４２ａ；４２ｂ）とを含んでいてもよい。
【００１３】
上記ショーケースにおいて、閉鎖状態の前記第１開閉部材（８）および閉鎖状態の前記第２開閉部材（９）は、側面視で、ハ字形状を形成するように配置されていてもよい。
【発明の効果】
【００１４】
本発明により、トレイまたは商品（例えば、食品等）を支持するための商品載置ユニットを後面側に引き出し可能、かつ、当該商品載置ユニットを前面側に引き出し可能なショーケースを提供することができる。
【図面の簡単な説明】
【００１５】
【図１】図１は、第１の実施形態におけるショーケースを模式的に示す概略斜視図（前方斜視図）である。なお、図１は、商品載置ユニットが客側に引き出された状態を示す。
【図２】図２は、第１の実施形態におけるショーケースを模式的に示す概略断面図である。なお、図２は、商品載置ユニットが店員側に引き出された状態を示す。
【図３】図３は、第２の実施形態におけるショーケースを模式的に示す概略断面図である。なお、図３は、商品載置ユニットが客側に引き出された状態を示す。
【図４】図４は、固定レール部材と可動レール部材との間の係合関係の一例を示す図である。
【図５】図５は、商品載置ユニットを前後両方向に引き出し可能にするメカニズムの概要について説明するための図である。
【図６】図６は、第２の実施形態の第１例におけるショーケースを模式的に示す概略斜視図である。
【図７】図７は、第２の実施形態の第１例におけるショーケースを模式的に示す図であり、第２把手部および第２方向引出用可動レール部材が、不適切に引き出された状態の一例を示す図である。
【図８】図８は、商品載置ユニットの全体を模式的に示す概略斜視図である。
【図９】図９は、ケース本体、固定レール部材、第１方向引出用可動レール部材、第２方向引出用可動レール部材、第１押圧部材、および、第２押圧部材の配置の一例を模式的に示す概略断面図である。
【図１０】図１０は、第２の実施形態の第２例におけるショーケースを模式的に示す図であり、第２把手部および第２方向引出用可動レール部材が、不適切に引き出された状態の一例を示す図である。
【図１１】図１１は、第２の実施形態におけるショーケースを模式的に示す概略斜視図である。
【図１２】図１２は、第２の実施形態におけるショーケースを模式的に示す概略斜視図である。
【図１３】図１３は、第２の実施形態におけるショーケースを模式的に示す概略斜視図である。
【図１４】図１４は、第２の実施形態におけるショーケースを模式的に示す概略斜視図である。
【図１５】図１５は、ケース本体、固定レール部材、可動レール部材、および、押圧部材の配置の一例を模式的に示す概略断面図である。
【図１６】図１６は、切替機構の作動メカニズムを模式的に示す図である。
【図１７】図１７は、商品載置ユニットの全体を模式的に示す概略斜視図である。
【発明を実施するための形態】
【００１６】
以下、実施形態におけるショーケース１に関して、添付図面を参照して説明する。なお、以下の説明において、同じ機能を有する部材については、同一の符号が付され、同一の符号が付されている部材について、繰り返しの説明は省略される。
【００１７】
（用語の定義）
本明細書において、第２開閉部材９から第１開閉部材８に向かう方向を「第１方向」と定義し、第１方向と反対方向に向かう方向を「第２方向」と定義する。第１開閉部材８は、例えば、店員と対面する側に配置される開閉部材であり、第２開閉部材９は、例えば、客と対面する側に配置される開閉部材である。なお、本明細書において、第２方向側のことを「前方」と呼び、第１方向側のことを「後方」と呼ぶことがある。
【００１８】
本明細書において、第１開閉部材８からショーケース内に向かう方向に沿って見て（すなわち、第１方向側から第２方向側に向かう方向に沿って見て）右側を「右側」と定義し、第１開閉部材８側からショーケース内に向かう方向に沿って見て左側を「左側」と定義する。
【００１９】
本明細書において、店員および客（消費者）のことをまとめて「ユーザー」と呼ぶ。換言すれば、ユーザーには、店員および客（消費者）が含まれる。
【００２０】
（第１の実施形態）
図１乃至図４を参照して、第１の実施形態におけるショーケース１Ｂについて説明する。図１は、第１の実施形態におけるショーケース１Ｂを模式的に示す概略斜視図である。なお、図１は、商品載置ユニット４が客側に引き出された状態を示す。図２および図３は、第１の実施形態におけるショーケース１Ｂを模式的に示す概略断面図である。なお、図２は、商品載置ユニット４が店員側に引き出された状態を示し、図３は、商品載置ユニットが客側に引き出された状態を示す。図４は、固定レール部材６０と可動レール部材４０との間の係合関係の一例を示す図である。
【００２１】
第１の実施形態におけるショーケース１Ｂは、ケース本体２と、商品載置ユニット４（図１を参照。）と、載置ユニット支持部材６（図２を参照。）と、第１開閉部材８（図２を参照。）とを備える。
【００２２】
ケース本体２は、商品が配置される内部空間ＳＰを規定する部材である。図１に記載の例では、ケース本体２は、側壁２１と、頂部２３と、底部２４と、商品載置ユニット４あるいは商品が通過可能な開口ＯＰ（図２を参照。）とを備える。開口ＯＰは、ケース本体２の第１方向側に配置された第１開閉部材８によって開閉可能である。なお、第１開閉部材８は、ケース本体２（より具体的には、ケース本体２の第１方向側）に取り付けられている。
【００２３】
商品載置ユニット４は、収納状態において、ケース本体２内に配置される。商品載置ユニット４には、常温食品、揚げ物、加温食品等の商品が載置される。商品は、直接、あるいは、トレイ等を介して、商品載置ユニット４上に載置される。なお、本明細書において、「収納状態」とは、商品載置ユニット４のうち商品が載置される領域が、ケース本体内に位置している状態を意味する。よって、収納状態において、商品載置ユニット４の一部を構成する把手部等がケース本体外に位置していても構わない。
【００２４】
図１に示されるように、第１の実施形態におけるショーケース１Ｂは、客と対向する側に（第２方向側に）、正面部２５を備える。正面部２５は、ケース本体２の一部を構成する。図１に記載の例では、商品載置ユニット４上の商品を視認できるように、正面部２５の少なくとも一部が透明部材（例えば、ガラスまたは透明樹脂製の部材）によって構成されている。なお、図１に記載の例では、側壁２１の一部も、透明部材２１０（例えば、ガラスまたは透明樹脂製の部材）によって構成されている。
【００２５】
図２において例示される載置ユニット支持部材６は、商品載置ユニット４をスライド可能に支持する。換言すれば、商品載置ユニット４は、載置ユニット支持部材６に対して移動可能である。より具体的には、商品載置ユニット４は、ケース本体２内に収納された第１位置と、引き出された第２位置（図２を参照。）との間で移動可能である。
【００２６】
図２には、左側側壁２１Ｌに沿って配置された左側の載置ユニット支持部材６が図示されている。第１の実施形態におけるショーケース１Ｂは、左側の載置ユニット支持部材６に加えて、右側側壁２１Ｒに沿って配置された右側の載置ユニット支持部材を備えていてもよい。右側の載置ユニット支持部材は、例えば、左側の載置ユニット支持部材と対称の形状および構造を備える。右側の載置ユニット支持部材および左側の載置ユニット支持部材は、ケース本体２内に配置される。
【００２７】
図４に示されるように、載置ユニット支持部材６は、ケース本体２に固定された固定レール部材６０を備える。固定レール部材６０は、商品載置ユニット４の引き出し方向に沿って延在する長尺部材（換言すれば、細長い部材）である。なお、図４において、固定レール部材６０の断面には、斜線によるハッチングが付されている。
【００２８】
図４に示されるように、固定レール部材６０は、ケース本体２に固定される部分である固定部６１と、可動レール部材４０をスライド可能に支持する部分である支持部６２とを含んでいてもよい。当該固定部６１と支持部６２とは一体に成形された一つの部材であってもよいし、別々に成形された固定部６１と支持部６２とが互いに固着されて固定レール部材６０が形成されてもよい。
【００２９】
図４に記載の例では、支持部６２は、可動レール部材４０の少なくとも一部を収容する内枠部６２１と、当該内枠部６２１を覆うように配置される外枠部６２２とを備える。しかし、第１の実施形態における支持部６２の形状および構造は、図４に記載の例に限定されない。支持部６２の形状および構造としては、可動レール部材４０をスライド可能に支持できる限りにおいて、任意の形状および構造を採用することができる。また、第１の実施形態における固定部６１の形状および構造も、図４に記載の例に限定されない。固定部６１の形状および構造としては、ケース本体２に固定可能である限りにおいて、任意の形状および構造を採用することができる。なお、固定部６１および／または支持部６２の材質は、例えば、金属である。
【００３０】
商品載置ユニット４は、固定レール部材６０に対してスライド可能な可動レール部材４０を備える。可動レール部材４０は、商品載置ユニット４の引き出し方向に沿って延在する長尺部材（換言すれば、細長い部材）である。なお、図４において、可動レール部材４０の断面には、クロスラインによるハッチングが付されている。
【００３１】
図４に示されるように、可動レール部材４０は、固定レール部材６０に対してスライド可能な第１可動レール部材４１と、第１可動レール部材４１に対してスライド可能な第２可動レール部材４２とを含んでいてもよい。可動レール部材４０が、第１可動レール部材４１と、第１可動レール部材４１に対してスライド可能な第２可動レール部材４２とを備える場合には、商品載置ユニット４の引き出し量を大きくすることが可能である。
【００３２】
図４に記載の例では、第１可動レール部材４１の一部が内枠部６２１に収容され、第２可動レール部材４２の全体が内枠部６２１の外側に配置されている。
【００３３】
なお、第１の実施形態における可動レール部材４０の形状および構造は、図４に記載の例に限定されない。可動レール部材４０の形状および構造としては、固定レール部材６０に対してスライド可能である限りにおいて、任意の形状および構造を採用することができる。なお、可動レール部材４０の材質は、例えば、金属である。
【００３４】
第１の実施形態におけるショーケース１Ｂは、商品載置ユニット４と、商品載置ユニット４をスライド可能に支持する載置ユニット支持部材６とを備え、載置ユニット支持部材６は、ケース本体２に固定された固定レール部材６０を含み、商品載置ユニット４は、固定レール部材６０に対してスライド可能な可動レール部材４０を含む。このため、商品載置ユニット４をケース本体２から円滑に引き出すことが可能である。したがって、ユーザーは、商品載置ユニット４がケース本体２から引き出された状態で、商品載置ユニット４上の商品を取り出すことができる。よって、トング等の器具をケース本体内に奥深く挿入して商品を取り出す必要がない。
【００３５】
第１の実施形態におけるショーケース１Ｂは、商品載置ユニット４が、客側と店員側の両方に引き出し可能である。
【００３６】
図２に示されるように、第１の実施形態におけるショーケース１Ｂは、第１方向側に配置される第１開閉部材８に加え、前方側（第２方向側）に配置される第２開閉部材９を備える。第２開閉部材９は、ケース本体２（より具体的には、ケース本体２の前面側）に取り付けられている。なお、第２開閉部材９は、ケース本体内部を視認できるように、少なくとも一部が、透明部材（例えば、ガラスまたは透明樹脂製の部材）によって構成されている。
【００３７】
図２に記載の例では、閉鎖状態の第１開閉部材８は、下方に向かうにつれて後方に向かうように傾斜配置され、閉鎖状態の第２開閉部材９は、下方に向かうにつれて前方（第２方向）に向かうように傾斜配置されている。換言すれば、閉鎖状態の第１開閉部材８および第２開閉部材９は、側面視で、「ハ」の字形状を形成するように配置されている。
【００３８】
図２に示されるように、商品載置ユニット４を後方に向けて引き出すと、押圧部材４５が、第１開閉部材８を押圧して、第１開閉部材８を自動的に開放する。なお、第１開閉部材８の上端部は、ケース本体２に揺動可能に支持されている。
【００３９】
また、図３に示されるように、商品載置ユニット４を前方に向けて引き出すと、押圧部材４５が、第２開閉部材９を押圧して、第２開閉部材９を自動的に開放する。なお、第２開閉部材９の上端部は、ケース本体２に揺動可能に支持されている。
【００４０】
図２および図３に記載の例では、押圧部材４５は、後方部分４５１および上方部分４５０に加え、前方部分４５２を備える。図３に記載の例では、前方部分４５２は、押圧部材４５の基部４６に取り付けられている。後方部分４５１は、第１開閉部材８を押圧して開放するカム部として機能し、前方部分４５２は、第２開閉部材９を押圧して開放するカム部として機能する。また、上方部分４５０は、第１開閉部材８または第２開閉部材９の開放状態を維持するための支持部として機能する。
【００４１】
図２および図３に示されるように、商品載置ユニット４は、後方側の第１把手部４６８（すなわち、第１方向側把手部）に加えて、前方側の第２把手部４６９（すなわち、第２方向側把手部）を備えていてもよい。
【００４２】
図４に記載の例では、押圧部材４５の上方部分４５０は、第２固定レール部材６７によってスライド可能に案内される。なお、図４に記載の例では、第２固定レール部材６７の底部６７３に、前方部分４５２または後方部分４５１の通過を許容する長手方向溝６７１が設けられている。また、押圧部材４５の上方部分４５０の少なくとも一部は、上記長手方向溝６７１の幅よりも幅が大きい。そして、上方部分４５０の当該少なくとも一部は、第２固定レール部材６７の上部６７２と第２固定レール部材６７の底部６７３との間に挟まれている。
【００４３】
なお、第１の実施形態において、第２固定レール部材６７は必須の構成ではなく、当該第２固定レール部材６７は省略されても構わない。
【００４４】
第１の実施形態におけるショーケース１Ｂでは、商品載置ユニット４が、客側に引き出し可能である。このため、客は、店員が忙しい状態であるか否かに関わらず、自分のペースで商品を選択し、選択した商品を容易に取り出すことができる。また、商品載置ユニット４は、店員側にも引き出し可能である。このため、店員は、客から注文された商品を容易に取り出すことができ、また、ショーケース内への商品の補充も容易に実行することができる。さらに、商品載置ユニット４が、第１開閉部材８および第２開閉部材９を押圧可能な押圧部材４５を備える場合には、簡易な構成で、第１開閉部材８および第２開閉部材９の自動開閉（すなわち、商品載置ユニット４の引き出しに応じた第１開閉部材８または第２開閉部材９の自動開閉）を実現することができる。
【００４５】
なお、図４に示されるように、可動レール部材４０のうちの少なくとも一部は、固定レール部材６０よりもケース本体２の中心から遠い側に配置されていることが好ましい。この場合、可動レール部材４０の内部構造が、ケース本体２の中心側に面することとなるため、可動レール部材４０が引き出された際に、当該可動レール部材４０の内部構造が視認されにくい。可動レール部材４０の内部構造には、グリス等が塗布されている。よって、当該可動レール部材４０の内部構造が視認されにくいことは、グリス等が視認されにくいことを意味し、このことにより、ショーケース１Ｂの見栄えが向上する。
【００４６】
（第２の実施形態）
図５乃至図１０を参照して、第２の実施形態におけるショーケース１Ｃの概要について説明する。図５は、商品載置ユニット４を前後両方向に引き出し可能にするメカニズムの概要について説明するための図である。図６は、第２の実施形態の第１例におけるショーケース１Ｃを模式的に示す概略斜視図である。図７は、第２の実施形態の第１例におけるショーケース１Ｃを模式的に示す図であり、第２把手部４６９および第２方向引出用可動レール部材４０ｂが、不適切に引き出された状態の一例を示す図である。図８は、商品載置ユニット４の全体を模式的に示す概略斜視図（商品載置ユニット４を上から見たときの概略斜視図）である。図９は、ケース本体２、固定レール部材６０、第１方向引出用可動レール部材４０ａ、第２方向引出用可動レール部材４０ｂ、第１押圧部材４５ａ、および、第２押圧部材４５ｂの配置の一例を模式的に示す概略断面図である。図１０は、第２の実施形態の第２例におけるショーケース１Ｃを模式的に示す図であり、第２把手部４６９および第２方向引出用可動レール部材４０ｂが、不適切に引き出された状態の一例を示す図である。
【００４７】
第２の実施形態におけるショーケース１Ｃは、可動レール部材４０が、第１方向引出用可動レール部材４０ａと、第２方向引出用可動レール部材４０ｂとを含む点で、第１の実施形態におけるショーケース１Ｂとは異なる。第２の実施形態では、第１の実施形態と異なる点を中心に説明し、第１の実施形態で説明済みの事項についての繰り返しとなる説明は省略する。このため、第２の実施形態において明示的に説明しなかったとしても、第１の実施形態において説明済みの事項を第２の実施形態に適用可能であることは言うまでもない。
【００４８】
（商品載置ユニット４を前後両方向に引き出し可能にするメカニズム）
図５を参照して、商品載置ユニット４を前後両方向に引き出し可能にするメカニズムの概要について説明する。
【００４９】
図５に記載の例では、可動レール部材４０は、第１方向引出用可動レール部材４０ａと、第２方向引出用可動レール部材４０ｂとを含む。また、商品載置ユニット４は、切替機構Ｇを備える。切替機構Ｇ（より具体的には、係脱機構）は、第１方向引出用可動レール部材４０ａと第２方向引出用可動レール部材４０ｂとが一体化された状態（より具体的には、係合状態）と、第１方向引出用可動レール部材４０ａが第２方向引出用可動レール部材４０ｂに対して相対移動可能な状態（より具体的には、非係合状態）とを切り替える機構である。
【００５０】
図５（ａ）の実線において示されるように、切替機構Ｇの状態が、第１方向引出用可動レール部材４０ａと第２方向引出用可動レール部材４０ｂとを一体化している状態（係合状態）であるときに、商品載置部材４７が第２方向側に引き出される場合を想定する。この場合、第１方向引出用可動レール部材４０ａと第２方向引出用可動レール部材４０ｂとが一体化された状態で、可動レール部材４０が、固定レール部材６０に対して相対移動される。その結果、図５（ｂ）に示されるように、可動レール部材４０（より具体的は、第１方向引出用可動レール部材４０ａ）に固定された商品載置部材４７が、第２方向側に引き出される。
【００５１】
商品載置部材４７が第２方向側に引き出されるメカニズムについて、より具体的に説明する。図５（ａ）に記載の例では、第２把手部４６９が、第２方向引出用可動レール部材４０ｂに、固定されている（直接的または連結部材４６５を介して間接的に固定されている）。よって、第２把手部４６９を、第２方向側に引っ張ると、第２把手部４６９に固定された第２方向引出用可動レール部材４０ｂが第２方向に引き出される。第２方向引出用可動レール部材４０ｂが第２方向に引き出されると、第２方向引出用可動レール部材４０ｂと一体化された第１方向引出用可動レール部材４０ａも第２方向に引き出される。その結果、第１方向引出用可動レール部材４０ａに固定された商品載置部材４７が、第２方向側に引き出される。
【００５２】
次に、図５（ａ）の破線において示されるように、切替機構Ｇの状態が、第１方向引出用可動レール部材４０ａと第２方向引出用可動レール部材４０ｂとが相対移動可能な状態（非係合状態）であるときに、商品載置部材４７が第１方向側に引き出される場合を想定する。この場合、第１方向引出用可動レール部材４０ａと第２方向引出用可動レール部材４０ｂとが一体化されていない状態で、第１方向引出用可動レール部材４０ａが、固定レール部材６０に対して第１方向に相対移動される（図５（ｃ）を参照。）。その結果、第１方向引出用可動レール部材４０ａに固定された商品載置部材４７が、第１方向側に引き出される。
【００５３】
商品載置部材４７が第１方向側に引き出されるメカニズムについて、より具体的に説明する。図５（ａ）に記載の例では、第１把手部４６８が、商品載置部材４７に固定されている（直接的または間接的に固定されている）。よって、第１把手部４６８を、第１方向側に引っ張ると、図５（ｃ）に示されるように、第１把手部４６８に固定された商品載置部材４７が、第１方向引出用可動レール部材４０ａとともに、第１方向側に引き出される。
【００５４】
図５（ｃ）に記載の例では、商品載置部材４７が第１方向側に引き出されるとき、第２方向引出用可動レール部材４０ｂは、商品載置部材４７とともに第１方向側に移動しない。このため、商品載置ユニット４（より具体的には、商品載置部材４７）が第１方向に引き出されるとき、第２把手部４６９が、ケース本体２内に引き込まれることなくケース本体２外に留まる。この場合、第２把手部４６９にユーザーの手が掛かっている状態で、商品載置部材４７が第１方向側に引き出されたとしても、ユーザーの手が第２開閉部材９と第２把手部４６９との間に挟まれることがない。
【００５５】
また、図５に記載の例では、可動レール部材４０のうちの少なくとも一部（具体的には、第２方向引出用可動レール部材４０ｂ）が、固定レール部材６０よりもケース本体２の中心から遠い側に配置されている。このため、可動レール部材４０（具体的には、第２方向引出用可動レール部材４０ｂ）がケース本体から引き出された際に、当該可動レール部材４０の内部構造が視認されにくい。可動レール部材４０の内部構造には、グリス等が塗布されている。よって、当該可動レール部材４０の内部構造が視認されにくいことは、グリス等が視認されにくいことを意味し、このことにより、ショーケース１Ｃの見栄えが向上する。
【００５６】
（押圧部材４５の第１例）
図６を参照して、開閉部材（８、９）を開放する方向に押圧する押圧部材４５の第１例について説明する。
【００５７】
図６に記載の例では、押圧部材４５が、第１方向引出用可動レール部材４０ａに固定されている（直接的または間接的に固定されている）。よって、商品載置部材４７が第１方向引出用可動レール部材４０ａとともに第１方向に引き出されるにつれて、第１方向引出用可動レール部材４０ａに固定された押圧部材４５は第１開閉部材８を第１方向に押圧する。その結果、商品載置部材４７が第１方向に引き出されるのに応じて、第１開閉部材８が自動的に開放される。
【００５８】
また、商品載置部材４７が第１方向引出用可動レール部材４０ａおよび第２方向引出用可動レール部材４０ｂとともに第２方向に引き出されるにつれて、押圧部材４５は第２開閉部材９を押圧する。その結果、商品載置部材４７が第２方向に引き出されるのに応じて、第２開閉部材９が自動的に開放される。
【００５９】
図６に記載の例では、商品載置部材４７の第２方向への引き出しは、第１方向引出用可動レール部材４０ａと第２方向引出用可動レール部材４０ｂとが一体化された状態で行われる。しかし、万が一、第１方向引出用可動レール部材４０ａと第２方向引出用可動レール部材４０ｂとの一体化がされていない状態、例えば、両部材（４０ａ、４０ｂ）間の係合が不十分な状態で、第２把手部４６９および第２方向引出用可動レール部材４０ｂが第２方向に引き出されると、以下のような不都合が生じるおそれがある。
【００６０】
図７には、両部材（４０ａ、４０ｂ）間の係合が不十分な状態で、第２把手部４６９および第２方向引出用可動レール部材４０ｂが第２方向に引き出された後の状態が示されている。なお、図７の上側には、ショーケース１Ｃの概略斜視図が示されており、図７の下側には、図７の上側に示されたショーケース１Ｃのうち商品載置ユニット４のみを切り出して記載した図が示されている。
【００６１】
図７に記載の例では、第２把手部４６９および第２方向引出用可動レール部材４０ｂは第２方向に引き出されているが、第１方向引出用可動レール部材４０ａ、押圧部材４５、および、商品載置部材４７は、第２方向に引き出されずにケース本体２内に留まっている。また、押圧部材４５が第２方向に引き出されていないため、第２開閉部材９は閉位置に留まっている。
【００６２】
この場合の不都合な点は、商品載置部材４７が第２方向に引き出されない点に留まらない。図７に記載の状態において、第２把手部４６９および第２方向引出用可動レール部材４０ｂを第１方向に押し戻すことを想定する。この場合、第２把手部４６９と第２方向引出用可動レール部材４０ｂとを連結する連結部材４６５が、第２開閉部材９の下端に引っ掛かってしまい、第２把手部４６９および第２方向引出用可動レール部材４０ｂを十分に押し戻すことができない。すなわち、図７に記載の例では、一旦、不適切に引き出された第２把手部４６９および第２方向引出用可動レール部材４０ｂを、適切な状態に戻すことが容易でない。
【００６３】
そこで、以下に示す押圧部材４５の第２例では、連結部材４６５が、第２開閉部材９の下端に引っ掛かるという不都合を解消するように構成されている。
【００６４】
（押圧部材４５の第２例）
図８を参照して、開閉部材（８、９）を開放する方向に押圧する押圧部材４５の第２例について説明する。
【００６５】
図８に記載の例では、商品載置ユニット４は、商品載置ユニット４が第１方向に引き出される時、第１開閉部材８を開放する方向に押圧する第１押圧部材４５ａと、商品載置ユニット４が第２方向（第１方向とは反対の方向）に引き出される時、第２開閉部材９を開放する方向に押圧する第２押圧部材４５ｂとを備える。そして、第１押圧部材４５ａと、第２押圧部材４５ｂとは別体である。
【００６６】
押圧部材４５の第２例では、図９に示されるように、第１押圧部材４５ａが、第１方向引出用可動レール部材４０ａに固定されている（直接的または間接的に固定されている）。よって、商品載置部材４７が第１方向引出用可動レール部材４０ａとともに第１方向に引き出されるにつれて、第１方向引出用可動レール部材４０ａに固定された第１押圧部材４５ａは第１開閉部材８を第１方向に押圧する。その結果、商品載置部材４７が第１方向に引き出されるのに応じて、第１開閉部材８が自動的に開放される。
【００６７】
図８に記載の例では、第１押圧部材４５ａは、第１開閉部材８が開閉されるにつれて、第１開閉部材８に対して摺動する第１弧状部４５３ａと、第１開閉部材８を開状態に維持するために第１開閉部材８を下方から支持する第１頂部４５４ａとを備える。第１弧状部４５３ａおよび第１頂部４５４ａは、例えば、一体成形された一つの部材であり、第１弧状部４５３ａおよび第１頂部４５４ａは、例えば、長尺の板材または棒材を曲げ加工することにより形成される。なお、図８に記載の例では、第１頂部４５４ａは、略直線形状を有する。また、第１弧状部４５３ａは、第１方向に向かって凸である弧状部である。
【００６８】
押圧部材４５の第２例では、図９に示されるように、第２押圧部材４５ｂが、第２方向引出用可動レール部材４０ｂに固定されている（直接的または間接的に固定されている）。よって、商品載置部材４７が第２方向引出用可動レール部材４０ｂとともに第２方向に引き出されるにつれて、第２方向引出用可動レール部材４０ｂに固定された第２押圧部材４５ｂは第２開閉部材９を第２方向に押圧する。その結果、商品載置部材４７が第２方向に引き出されるのに応じて、第２開閉部材９が自動的に開放される。
【００６９】
図８に記載の例では、第２押圧部材４５ｂは、第２開閉部材９が開閉されるにつれて、第２開閉部材９に対して摺動する第２弧状部４５３ｂと、第２開閉部材９を開状態に維持するために第２開閉部材９を下方から支持する第２頂部４５４ｂとを備える。第２弧状部４５３ｂおよび第２頂部４５４ｂは、例えば、一体成形された一つの部材であり、第２弧状部４５３ｂおよび第２頂部４５４ｂは、例えば、長尺の板材または棒材を曲げ加工することにより形成される。なお、図８に記載の例では、第２頂部４５４ｂは、略直線形状を有する。また、第２弧状部４５３ｂは、第２方向に向かって凸である弧状部である。
【００７０】
図８に記載の例では、万が一、第１方向引出用可動レール部材４０ａと第２方向引出用可動レール部材４０ｂとの一体化がされていない状態、例えば、両部材（４０ａ、４０ｂ）間の係合が不十分な状態で、第２把手部４６９および第２方向引出用可動レール部材４０ｂが第２方向に引き出された場合であっても、第２方向引出用可動レール部材４０ｂに固定された第２押圧部材４５ｂによって第２開閉部材９が開放される（図１０を参照。）。
【００７１】
このため、第２把手部４６９および第２方向引出用可動レール部材４０ｂを第１方向に押し戻す際に、第２把手部４６９と第２方向引出用可動レール部材４０ｂとを連結する連結部材４６５が、第２開閉部材９の下端に引っ掛かることがない。よって、第２把手部４６９および第２方向引出用可動レール部材４０ｂを適切に第１方向に押し戻すことができる。すなわち、図１０に記載の例では、一旦、不適切に引き出された第２把手部４６９および第２方向引出用可動レール部材４０ｂを、適切な状態に戻すことが容易である。
【００７２】
なお、図８に記載の例では、第２押圧部材４５ｂが、第１押圧部材４５ａよりも商品載置ユニット４の幅方向外側に配置されている。代替的に、第２押圧部材４５ｂが、第１押圧部材４５ａよりも商品載置ユニット４の幅方向内側に配置されていてもよい。
【００７３】
続いて、第２の実施形態におけるショーケース１Ｃの各構成についてより詳細に説明する。
【００７４】
（ショーケースの全体構成）
図１１乃至図１４を参照してショーケース１Ｃの全体的な構成について説明する。図１１および図１２は、第２の実施形態におけるショーケース１Ｃを模式的に示す概略斜視図（ショーケース１Ｃを斜め後方から見た時の概略斜視図）である。なお、図１１では、商品載置ユニット４は、収納位置（第１位置）にあり、図１２では、商品載置ユニット４は、第１方向側に引き出された第１引出位置にある。図１３および図１４は、第２の実施形態におけるショーケース１Ｃを模式的に示す概略斜視図（ショーケース１Ｃを斜め前方から見た時の概略斜視図）である。なお、図１３では、商品載置ユニット４は、収納位置（第１位置）にあり、図１４では、商品載置ユニット４は、第２方向側に引き出された第２引出位置にある。
【００７５】
ケース本体２は、正面部２５と、２つの側壁２１と、頂部２３と底部２４と、背部２６とを備える。そして、ケース本体２の内部空間ＳＰは、正面部２５と、２つの側壁２１と、頂部２３と底部２４と、背部２６とによって囲まれている。
【００７６】
ケース本体２（例えば、側壁２１）には、第１開閉部材８が揺動可能に取り付けられる。第１開閉部材８は、少なくとも一部が透明な部材によって構成されており、ユーザー（より具体的には、店員）は、第１開閉部材８を介して、ケース本体２内の商品を視認することができる。第１開閉部材８は、その上端部に水平揺動軸を備えることが好ましいが、水平揺動軸の位置は第１開閉部材８の上端部に配置されることに限定されない。
【００７７】
第１開閉部材８は、商品載置ユニット４の引き出しに応じて、自動的に、開放される揺動扉であることが好ましいが、第２の実施形態における第１開閉部材８は、このような態様に限定されない。
【００７８】
図１１に記載の例では、ショーケース１Ｃは、３つの商品載置ユニット４（より具体的には、上段商品載置ユニット４−１、中段商品載置ユニット４−２、下段商品載置ユニット４−３）を備える。そして、ケース本体２内の内部空間ＳＰは、商品載置ユニット４の数に対応して、３つのサブ空間に分割されている。ただし、商品載置ユニット４および／またはサブ空間の数は、３個以外の数（例えば、２個、４個、あるいは、５個以上）であってもよい。
【００７９】
第２の実施形態では、商品載置ユニット４を、ケース本体２内から第１方向側に引き出し可能であり、かつ、商品載置ユニット４を、ケース本体２内から第２方向側に引き出し可能である。複数の商品載置ユニット４のうちの全部の商品載置ユニットが、第１方向側および第２方向側に引き出し可能であってもよい。代替的に、複数の商品載置ユニット４のうちのいくつかが第１方向側および第２方向側に引き出し可能であり、複数の商品載置ユニット４のうちの他のいくつかがケース本体２内から引き出し不能であってもよい。なお、図１１乃至図１４に記載の例では、上段商品載置ユニット４−１、中段商品載置ユニット４−２、下段商品載置ユニット４−３の各々を、ケース本体２内から第１方向側および第２方向側に引き出し可能である。
【００８０】
（第１開閉部材８）
次に、図１１および図１２を参照して、第１開閉部材８の一例について説明する。
【００８１】
第１開閉部材８は、商品載置ユニット４あるいは商品が通過可能な開口ＯＰ（図１２を参照。）を覆う部材である。第１開閉部材８の上端部は、ケース本体２に揺動自在に結合される。第１開閉部材８とケース本体２との間の結合は、例えば、ヒンジ結合である。図１１に記載の例では、第１開閉部材（８−２）は、ケース本体２の幅方向に平行な揺動軸ＡＸ１まわりを揺動自在である。
【００８２】
図１１に記載の例では、ショーケース１Ｃは、上段第１開閉部材８−１、中段第１開閉部材８−２、下段第１開閉部材８−３を備える。上段第１開閉部材８−１は、上段商品載置ユニット４−１の第１方向への引き出しに伴って開放される部材であり、中段第１開閉部材８−２は、中段商品載置ユニット４−２の第１方向への引き出しに伴って開放される部材であり、下段第１開閉部材８−３は、下段商品載置ユニット４−３の第１方向への引き出しに伴って開放される部材である。
【００８３】
図１１に記載の例では、第１開閉部材８が閉鎖位置にある時、第１開閉部材８は、下端側が上端側よりも第１方向側に位置するように傾斜配置される。このため、ユーザー（より具体的には、店員）は、相対的に小さな力で第１開閉部材８を開位置に移動させることが可能である。
【００８４】
（操作パネル７）
図１１に記載の例では、ショーケース１Ｃは、操作パネル７を備える。操作パネル７は、ショーケース１Ｃの電装品を作動させるためのスイッチ７０を含む。スイッチ７０は、例えば、メイン電源スイッチ、照明スイッチ（ケース本体２内の内部空間ＳＰを照明するランプを作動させるスイッチ、または、当該ランプの照度を調整するスイッチ）、温度調整スイッチ（ケース本体２内の温度を上昇させる加温スイッチ、ケース本体２内の温度を低下させる冷却スイッチ、または、ケース本体２内の温度を所望の温度に設定する温度設定スイッチ）等を含む。
【００８５】
図１１に記載の例では、操作パネル７（および、スイッチ７０）が、ケース本体２の背部２６に配置されている。また、図１１に記載の例では、操作パネル７（および、スイッチ７０）は、下段商品載置ユニット４−３よりも下側に配置されている。
【００８６】
（第２開閉部材９）
続いて、図１３および図１４を参照して、第２開閉部材９の一例について説明する。
【００８７】
第２開閉部材９は、商品載置ユニット４あるいは商品が通過可能な開口ＯＰ（図１４を参照。）を覆う部材である。第２開閉部材９の上端部は、ケース本体２に揺動自在に結合される。第２開閉部材９とケース本体２との間の結合は、例えば、ヒンジ結合である。図１３に記載の例では、第２開閉部材（９−２）は、ケース本体２の幅方向に平行な揺動軸ＡＸ２まわりを揺動自在である。
【００８８】
図１３に記載の例では、ショーケース１Ｃは、上段第２開閉部材９−１、中段第２開閉部材９−２、下段第２開閉部材９−３を備える。上段第２開閉部材９−１は、上段商品載置ユニット４−１の第２方向への引き出しに伴って開放される部材であり、中段第２開閉部材９−２は、中段商品載置ユニット４−２の第２方向への引き出しに伴って開放される部材であり、下段第２開閉部材９−３は、下段商品載置ユニット４−３の第２方向への引き出しに伴って開放される部材である。
【００８９】
図１３に記載の例では、第２開閉部材９が閉鎖位置にある時、第２開閉部材９は、下端側が上端側よりも第２方向側に位置するように傾斜配置される。このため、ユーザー（より具体的には、客）は、相対的に小さな力で第２開閉部材９を開位置に移動させることが可能である。
【００９０】
（商品載置ユニット４）
次に、図１４乃至図１７を参照して、商品載置ユニット４の一例について説明する。図１４は、第２の実施形態におけるショーケース１Ｃを模式的に示す概略斜視図である。図１５は、ケース本体２、固定レール部材６０、可動レール部材４０、および、押圧部材４５の配置の一例を模式的に示す概略断面図である。図１６は、切替機構Ｇの作動メカニズムを模式的に示す図である。図１７は、商品載置ユニット４の全体を模式的に示す概略斜視図（商品載置ユニット４を下から見たときの概略斜視図）である。
【００９１】
以下において説明される商品載置ユニット４は、上述の複数の商品載置ユニット（４−１、４−２、４−３）のうちのいずれかである。換言すれば、商品載置ユニット４は、上段商品載置ユニット４−１であってもよく、中段商品載置ユニット４−２であってもよく、下段商品載置ユニット４−３であってもよい。
【００９２】
商品載置ユニット４のうち、押圧部材（４５ａ、４５ｂ）および把手部（４６８、４６９）については説明済みであるため、押圧部材および把手部についての繰り返しとなる説明は省略する。
【００９３】
（可動レール部材４０）
図１５を参照して、商品載置ユニット４のうちの可動レール部材４０の一例について詳細に説明する。
【００９４】
図１５に記載の例では、可動レール部材４０は、第１方向引出用可動レール部材４０ａと、第２方向引出用可動レール部材４０ｂとを備える。
【００９５】
第１方向引出用可動レール部材４０ａは、ケース本体２（より具体的には、側壁２１）に固定された載置ユニット支持部材６（より具体的には、固定レール部材６０）に対して相対移動可能なように、載置ユニット支持部材６によって支持されている。
【００９６】
図１５に記載の例において、第１方向引出用可動レール部材４０ａが第１方向に引き出されると、第１方向引出用可動レール部材４０ａに直接的または間接的に固定された商品載置部材４７および押圧部材４５（例えば、第１押圧部材４５ａ）が、第１方向に引き出される。また、押圧部材４５が第１方向に引き出されると、当該押圧部材４５は第１開閉部材８を開放する方向に第１開閉部材８を押圧する。
【００９７】
図１５に記載の例では、第１方向引出用可動レール部材４０ａは、第１可動レール部材４１ａと、第１可動レール部材に対してスライド可能な第２可動レール部材４２ａとを含む。第１方向引出用可動レール部材４０ａが、第１可動レール部材４１ａと、第１可動レール部材４１ａに対してスライド可能な第２可動レール部材４２ａとを備える場合には、商品載置ユニット４の第１方向への引き出し量を大きくすることが可能である。
【００９８】
図１５に記載の例では、可動レール部材４０は、第１方向引出用可動レール部材４０ａの摺動部（換言すれば、グリス塗布面）を覆う覆い板４３ａを備える。図１４に記載の例では、覆い板４３ａは、第２可動レール部材４２ａを覆うように、第２可動レール部材４２ａに固定されている。図１５に記載の例のように、覆い板４３ａの一端が商品載置部材４７に固定され、覆い板４３ａの他端が第２可動レール部材４２ａに固定されていてもよい。また、図１５に記載の例のように、覆い板４３ａは、第２可動レール部材４２ａの下方を通るように配置されていてもよい。また、図１５に記載の例では、第１押圧部材４５ａが商品載置部材４７に直接的に固定されているが、第１押圧部材４５ａが覆い板４３ａに直接的に固定されるようにしてもよい。
【００９９】
図１５に記載の例では、覆い板４３ａの存在により、第１方向引出用可動レール部材４０ａの摺動部の露出が防止される。その結果、摺動部に異物が進入することが抑制され、また、ショーケース１Ｃの見栄えが向上する。
【０１００】
図１５に記載の例では、第２方向引出用可動レール部材４０ｂは、ケース本体２（より具体的には、側壁２１）に固定された載置ユニット支持部材６（より具体的には、固定レール部材６０）に対して相対移動可能なように、載置ユニット支持部材６によって支持されている。
【０１０１】
図１５に記載の例において、第２方向引出用可動レール部材４０ｂが第２方向に引き出されると、第２方向引出用可動レール部材４０ｂに直接的または間接的に固定された押圧部材４５（例えば、第２押圧部材４５ｂ）が商品載置部材４７とともに、第２方向に引き出される。また、押圧部材４５が第２方向に引き出されると、当該押圧部材４５は第２開閉部材９を開放する方向に第２開閉部材９を押圧する。
【０１０２】
図１５に記載の例では、第２方向引出用可動レール部材４０ｂは、第１可動レール部材４１ｂと、第１可動レール部材に対してスライド可能な第２可動レール部材４２ｂとを含む。第２方向引出用可動レール部材４０ｂが、第１可動レール部材４１ｂと、第１可動レール部材４１ｂに対してスライド可能な第２可動レール部材４２ｂとを備える場合には、商品載置ユニット４の第２方向への引き出し量を大きくすることが可能である。図１５に記載の例では、商品載置ユニット４の第１方向への引き出し量を大きくすることが可能であることに加え、商品載置ユニット４の第２方向への引き出し量を大きくすることが可能である。その結果、第２の実施形態では、商品載置部材４７の第１方向側の移動限界位置から商品載置部材４７の第２方向側の移動限界位置までの距離（換言すれば、商品載置部材４７の移動ストローク）を、第１方向に沿う方向における商品載置部材４７の長さの２倍以上あるいは２．５倍以上とすることも可能である。
【０１０３】
図１５に記載の例では、可動レール部材４０は、第２方向引出用可動レール部材４０ｂの摺動部（換言すれば、グリス塗布面）を覆う覆い板４３ｂを備える。図１５に記載の例では、覆い板４３ｂは、第２可動レール部材４２ｂを覆うように、第２可動レール部材４２ｂに固定されている。図１５に記載の例のように、覆い板４３ｂの一端が第２可動レール部材４２ｂの第１部分４２ｂ−１（第１方向引出用可動レール部材４０ａに対向する部分）に固定され、覆い板４３ｂの他端が第２可動レール部材４２ａの第２部分４２ｂ−２（固定レール部材６０に対向する部分）に固定されていてもよい。覆い板４３ｂは、図１５に記載の例のように、第２可動レール部材４２ｂの上方を通るように配置されていてもよい。また、図１５に記載の例のように、第２押圧部材４５ｂが、覆い板４３ｂに直接的に固定されるようにしてもよい。
【０１０４】
図１５に記載の例では、覆い板４３ｂの存在により、第２方向引出用可動レール部材４０ｂの摺動部の露出が防止される。その結果、摺動部に異物が進入することが抑制され、また、ショーケース１Ｃの見栄えが向上する。
【０１０５】
なお、図１５に記載の例では、図４に記載の例と同様に、可動レール部材４０のうちの少なくとも一部（例えば、第１可動レール部材４１ｂ）が、固定レール部材６０よりもケース本体２の中心から遠い側に配置されている。加えて、図１５に記載の例では、固定レール部材６０の自由端部６０ｅ（ケース本体２に固定されていない側の端部）を挟むように、可動レール部材４０が配置されている。
【０１０６】
（切替機構Ｇ）
続いて、図１６および図１７を参照して、第１方向引出用可動レール部材４０ａと第２方向引出用可動レール部材４０ｂとが一体化された状態（より具体的には、係合状態）と、第１方向引出用可動レール部材４０ａが第２方向引出用可動レール部材４０ｂに対して相対移動可能な状態（より具体的には、非係合状態）とを切り替える切替機構Ｇの一例について、より詳細に説明する。
【０１０７】
図１６に記載の例では、第１把手部４６８が操作されることにより、切替機構Ｇの状態は、第１方向引出用可動レール部材４０ａと第２方向引出用可動レール部材４０ｂとが一体化された状態から、第１方向引出用可動レール部材４０ａが第２方向引出用可動レール部材４０ｂに対して相対移動可能な状態に切り替えられる。
【０１０８】
図１６（ａ）に記載の例では、第１把手部４６８と商品載置部材４７とを連結する第１連結部材４６４に第１係合部４６４ａが設けられている。また、左側の第２方向引出用可動レール部材４０ｂと右側の第２方向引出用可動レール部材４０ｂとを連結する第２連結部材４６６（図１７を参照。）に第２係合部４６６ｂが設けられている。そして、第１係合部４６４ａと第２係合部４６６ｂとが係合した状態が、第１方向引出用可動レール部材４０ａと第２方向引出用可動レール部材４０ｂとが一体化された状態に対応し、第１係合部４６４ａと第２係合部４６６ｂとの間の係合が解除された状態が、第１方向引出用可動レール部材４０ａが第２方向引出用可動レール部材４０ｂに対して相対移動可能な状態に対応する。
【０１０９】
図１６（ａ）に記載の例では、第１把手部４６８と、第１連結部材４６４と、商品載置部材４７と、第１方向引出用可動レール部材４０ａとが互いに固定されており、第２連結部材４６６と第２方向引出用可動レール部材４０ｂとが互いに固定されている。このため、第１連結部材４６４に設けられた第１係合部４６４ａと、第２連結部材４６６に設けられた第２係合部４６６ｂとが係合した状態では、第１方向引出用可動レール部材４０ａと第２方向引出用可動レール部材４０ｂとが互いに一体化される。
【０１１０】
他方、第１方向引出用可動レール部材４０ａを、第２方向引出用可動レール部材４０ｂから独立した状態で、第１方向に移動させたい場合、換言すれば、第２把手部４６９（図１６には図示されず）が第１方向に移動しない状態で、第１把手部４６８および商品載置部材４７を第１方向に移動させたい場合には、第１方向引出用可動レール部材４０ａとともに移動する第１係合部４６４ａと、第２方向引出用可動レール部材４０ｂとともに移動する第２係合部４６６ｂとの間の係合を解除すればよい。
【０１１１】
より具体的には、図１６（ｂ）に示されるように、第１把手部４６８を下方に下げれば、第１係合部４６４ａと第２係合部４６６ｂとの間の係合が解除され、その後、第１把手部４６８を第１方向に引っ張れば、商品載置部材４７をケース本体２から第１方向に引き出すことができる。そして、ユーザー（より具体的には、店員）は、商品載置部材４７が第１方向に引き出された状態で、商品載置部材４７から商品を取り出すこと、および／または、商品載置部材４７に商品を補充することが可能である。
【０１１２】
商品載置部材４７をケース本体２内に戻す場合には、第１把手部４６８を第２方向に押すことにより、商品載置部材４７をケース本体２内に押し込めばよい。図１６（ｃ）、図１６（ｄ）には、第１把手部４６８を第２方向に押圧している状態が示されている。図１６（ｃ）および図１６（ｄ）に示されるように、第１把手部４６８を第２方向に押圧すると、第１係合部４６４ａが、第２係合部４６６ｂを乗り越える。その結果、図１６（ａ）に示されるように、第１係合部４６４ａと第２係合部４６６ｂとが再度係合する。そして、第１係合部４６４ａと第２係合部４６６ｂとが互いに係合した状態で、第２把手部４６９（図１６には図示されず）を第２方向に引っ張れば、商品載置部材４７が第２方向に移動し、商品載置部材４７は、ケース本体２の第２方向側に引き出される。その後、ユーザー（より具体的には、客）は、商品載置部材４７が第２方向に引き出された状態で、商品載置部材４７から商品を取り出すことが可能である。
【０１１３】
図１６（ａ）および図１７に記載の例では、切替機構Ｇは、第１係合部４６４ａ、第２係合部４６６ｂに加えて、第１係合部４６４ａと第２係合部４６６ｂとの間の係合が維持されるように第１係合部４６４ａを付勢する付勢部材４６４ｃ（例えば、ねじりコイルばね等のばね部材）を備える。付勢部材４６４ｃは、第１係合部４６４ａと第２係合部４６６ｂとの間の係合が、意図せずして解除されることを抑制する。
【０１１４】
なお、図１６には、第１把手部４６８を下方に移動させることにより、第１係合部４６４ａと第２係合部４６６ｂとの間の係合が解除される例が示されている。代替的に、第１把手部４６８を上方に移動させることにより、あるいは、第１把手部４６８を右方または左方に移動させることにより、第１係合部４６４ａと第２係合部４６６ｂとの間の係合が解除されるようにしてもよい。
【０１１５】
第２の実施形態は、第１の実施形態と同様の効果を奏する。また、第２の実施形態では、可動レール部材４０が、第１方向引出用可動レール部材４０ａと、第２方向引出用可動レール部材４０ｂとを含む。この場合、第１方向引出用可動レール部材４０ａの第１方向への移動を、第２方向引出用可動レール部材４０ｂから独立した状態で実行可能である。よって、ショーケース１Ｃが、第２方向引出用可動レール部材４０ｂとともに移動する第２把手部４６９を備える場合において、第２把手部４６９がケース本体２内に引き込まれることが防止される。この場合、第２把手部４６９にユーザーの手が掛かっている状態で、商品載置部材４７が第１方向側に引き出されたとしても、ユーザーの手が第２開閉部材９と第２把手部４６９との間に挟まれることがない。
【０１１６】
また、第２の実施形態において、第１押圧部材４５ａと第２押圧部材４５ｂとが別体である場合には、商品載置部材４７が第１方向に引き出される時には、第１開閉部材８が第１押圧部材４５ａによって確実に開放され、商品載置部材４７が第２方向に引き出される時には、第２開閉部材９が第２押圧部材４５ｂによって確実に開放されることとなる。換言すれば、第１開閉部材８または第２開閉部材９の開放が不十分な状態で、商品載置部材４７が引き出されることがない。
【０１１７】
また、第２の実施形態において、可動レール部材４０のうちの少なくとも一部が、固定レール部材６０よりもケース本体２の中心から遠い側に配置されている場合には、ユーザーは、可動レール部材４０の摺動部を視認しにくい。このため、ショーケース１Ｃの見栄えが向上する。
【０１１８】
また、第２の実施形態において、第１方向引出用可動レール部材４０ａおよび／または第２方向引出用可動レール部材４０ｂが、第１可動レール部材（４１ａ；４１ｂ）と第２可動レール部材（４２ａ；４２ｂ）とを備える場合には、商品載置ユニット４の引き出し量を大きくすることが可能である。
【０１１９】
また、閉鎖状態の第１開閉部材８および閉鎖状態の第２開閉部材９が、側面視で、傾斜配置される場合、より具体的には、閉鎖状態の第１開閉部材８および閉鎖状態の第２開閉部材９が側面視でハ字形状を形成するように配置されている場合には、相対的に小さな力で第１開閉部材８を開位置に移動させることが可能、かつ、相対的に小さな力で第２開閉部材９を開位置に移動させることが可能である。
【０１２０】
本発明は上記各実施形態に限定されず、本発明の技術思想の範囲内において、各実施形態は適宜変形又は変更され得ることは明らかである。また、各実施形態で用いられる種々の技術は、技術的矛盾が生じない限り、他の実施形態にも適用可能である。さらに、各実施形態における任意付加的な構成は、適宜省略可能である。
【０１２１】
例えば、実施形態におけるショーケース１は、引き出し可能な商品載置ユニット４が上下方向に複数配置されている。代替的に、あるいは、付加的に、引き出し可能な商品載置ユニット４が左右方向に複数配置されていてもよい。
【符号の説明】
【０１２２】
１、１Ｂ、１Ｃ：ショーケース
２          ：ケース本体
４          ：商品載置ユニット
４−１      ：上段商品載置ユニット
４−２      ：中段商品載置ユニット
４−３      ：下段商品載置ユニット
６          ：載置ユニット支持部材
７          ：操作パネル
８          ：第１開閉部材
８−１      ：上段第１開閉部材
８−２      ：中段第１開閉部材
８−３      ：下段第１開閉部材
９          ：第２開閉部材
９−１      ：上段第２開閉部材
９−２      ：中段第２開閉部材
９−３      ：下段第２開閉部材
２１        ：側壁
２１Ｌ      ：左側側壁
２１Ｒ      ：右側側壁
２３        ：頂部
２４        ：底部
２５        ：正面部
２６        ：背部
４０        ：可動レール部材
４０ａ      ：第１方向引出用可動レール部材
４０ｂ      ：第２方向引出用可動レール部材
４１        ：第１可動レール部材
４１ａ      ：第１可動レール部材
４１ｂ      ：第１可動レール部材
４２        ：第２可動レール部材
４２ａ      ：第２可動レール部材
４２ｂ      ：第２可動レール部材
４２ｂ−１  ：第１部分
４２ｂ−２  ：第２部分
４３ａ      ：覆い板
４３ｂ      ：覆い板
４５        ：押圧部材
４５ａ      ：第１押圧部材
４５ｂ      ：第２押圧部材
４６        ：基部
４７        ：商品載置部材
６０        ：固定レール部材
６０ｅ      ：自由端部
６１        ：固定部
６２        ：支持部
６７        ：第２固定レール部材
７０        ：スイッチ
２１０      ：透明部材
４５０      ：上方部分
４５１      ：後方部分
４５２      ：前方部分
４５３ａ    ：第１弧状部
４５３ｂ    ：第２弧状部
４５４ａ    ：第１頂部
４５４ｂ    ：第２頂部
４６４      ：第１連結部材
４６４ａ    ：第１係合部
４６４ｃ    ：付勢部材
４６５      ：連結部材
４６６      ：第２連結部材
４６６ｂ    ：第２係合部
４６８      ：第１把手部
４６９      ：第２把手部
６２１      ：内枠部
６２２      ：外枠部
６７１      ：長手方向溝
６７２      ：上部
６７３      ：底部
ＡＸ１      ：揺動軸
ＡＸ２      ：揺動軸
Ｇ          ：切替機構
ＯＰ        ：開口
ＳＰ        ：内部空間
【図１】
2019042485.tif 000003
【図２】
2019042485.tif 000004
【図３】
2019042485.tif 000005
【図４】
2019042485.tif 000006
【図５】
2019042485.tif 000007
【図６】
2019042485.tif 000008
【図７】
2019042485.tif 000009
【図８】
2019042485.tif 000010
【図９】
2019042485.tif 000011
【図１０】
2019042485.tif 000012
【図１１】
2019042485.tif 000013
【図１２】
2019042485.tif 000014
【図１３】
2019042485.tif 000015
【図１４】
2019042485.tif 000016
【図１５】
2019042485.tif 000017
【図１６】
2019042485.tif 000018
【図１７】
2019042485.tif 000019